(57)【要約】【課題】膨大な量のデジタルコンテンツに対するユーザの嗜好傾向をできるだけ客観的な尺度で把握し、これに基づきユーザのコンテンツ選択の補助となるなコンテンツ情報を表示するとともに、その場でユーザからの嗜好傾向の修正を取り入れることができるような情報ナビゲーション装置を提供する。【解決手段】ユーザのコンテンツ選択履歴を記憶するコンテンツ選択履歴記憶部と、デジタルコンテンツのコンテンツ情報を記憶するコンテンツ情報データベースと、前記ユーザのコンテンツ選択履歴と、前記コンテンツ情報とから、ユーザの嗜好を分析する嗜好分析部と、前記嗜好分析部によるユーザの嗜好の分析結果を表示する表示手段とを備えたことを特徴とする情報ナビゲーション装置。【選択図】  図１
2005018269.tif 000002
【特許請求の範囲】
【請求項１】
デジタルコンテンツのコンテンツ情報を記憶するコンテンツ情報データベースと、
ユーザのコンテンツ選択履歴を記憶するコンテンツ選択履歴記憶部と、
前記コンテンツ情報と、前記ユーザのコンテンツ選択履歴とから、ユーザの嗜好を分析する嗜好分析部とを備えたことを特徴とする情報ナビゲーション装置。
【請求項２】
前記嗜好分析部によるユーザの嗜好の分析結果を表示する表示手段をさらに備えたことを特徴とする請求項１に記載の情報ナビゲーション装置。
【請求項３】
前記コンテンツ情報は、各デジタルコンテンツの分類情報を含むことを特徴とする請求項１又は２に記載の情報ナビゲーション装置。
【請求項４】
前記コンテンツ情報は、さらに、各デジタルコンテンツの内容に関する情報を含むことを特徴とする請求項３に記載の情報ナビゲーション装置。
【請求項５】
前記各デジタルコンテンツの内容に関する情報は、製作者、出演者、対象者年齢層、原作者、配給元、製作国のうち１以上を含んでいることを特徴とする請求項４に記載の情報ナビゲーション装置。
【請求項６】
前記表示手段は、各デジタルコンテンツの分類情報及び内容に関する情報のうち１以上の情報を用いてユーザの嗜好の分析結果を表示することを特徴とする請求項４又は５に記載の情報ナビゲーション装置。
【請求項７】
前記表示手段は、さらに、前記嗜好分析部によるユーザの嗜好の分析結果に従って、ユーザの嗜好に合致した利用可能なコンテンツを表示することを特徴とする請求項１から６のいずれか１項に記載の情報ナビゲーション装置。
【請求項８】
前記表示手段により表示したユーザの嗜好の分析結果をユーザが修正する手段をさらに備えていることを特徴とする請求項１から７のいずれか１項に記載の情報ナビゲーション装置。
【請求項９】
デジタル放送、インターネット、外部接続デジタル機器、ハードディスク、デジタル記録媒体のうちいずれかからデジタルコンテンツを取得することを特徴とする請求項１から８のいずれか１項に記載の情報ナビゲーション装置。
【請求項１０】
デジタルコンテンツのコンテンツ情報を記憶し、
ユーザのコンテンツ選択履歴を記憶し、
前記コンテンツ情報と、前記ユーザのコンテンツ選択履歴とから、ユーザの嗜好を分析し、
前記ユーザの嗜好の分析結果を表示することを特徴とする情報ナビゲーション方法。
【請求項１１】
請求項１０に記載の情報ナビゲーション方法において、
前記表示したユーザの嗜好の分析結果に対してユーザの修正を反映させることをさらに含むことを特徴とする方法。
【請求項１２】
ユーザの嗜好を分析する嗜好分析部と、
該嗜好分析部の分析に基づいて、ユーザの嗜好に合致したユーザの情報選択を支援する情報ナビゲーション機能とを備えた情報ナビゲーション装置。
【発明の詳細な説明】
【０００１】
【発明の属する技術分野】
本発明は、ユーザのコンテンツに対する嗜好傾向を定量的に分析し、その分析結果に基づいてユーザの嗜好に適したコンテンツ情報を表示するための装置及び方法に関し、特に、多様化、複雑化しているデジタルコンテンツに対するユーザの嗜好傾向を分析し、その分析結果に基づいて、ユーザが直感的に認識できるようなコンテンツ情報の表示を行うことにより、効果的な情報ナビゲーション機能を提供する装置及び方法に関するものである。
【０００２】
【従来の技術】
昨今、パーソナルコンピュータやＤＶＤプレイヤー等のデジタル機器が普及し、ブロードバンドの普及による高速ネットワーク化が進み、さらには、デジタル放送が本格的に開始されつつある状況で、デジタルコンテンツ提供サービスを利用するにあたって、ユーザを取り巻く環境が大きく変化しようとしている。
【０００３】
これまでユーザは、例えば、アナログＴＶ受像機でＴＶ放送を視聴し、オーディオ機器で音楽コンテンツ等を視聴し、ビデオデッキでビデオコンテンツを視聴しており、これらはそれぞれ異なる種類のコンテンツとして認識されていた。ところが、現在、これらのコンテンツは揃ってデジタル化されており、また、一般家庭でのパーソナルコンピュータやホームネットワーク、家庭内ＬＡＮ等の普及により、様々な種類及び内容のデジタルコンテンツを同じシステムで取り扱うことが可能となっている。
【０００４】
すなわち、各種デジタル放送からの映像・音声コンテンツ、デジタルビデオやＣＤ／ＭＤ／ＤＶＤプレイヤーなどのデジタル機器から再生される映像・音声コンテンツ、パーソナルコンピュータのハードディスクなどから再生される映像・音声コンテンツ、インターネットを通じてオンライン配信される映像・音声コンテンツなど、多種多様なソースからのデジタルコンテンツを同一のシステムにおいて記録したり視聴したりすることが可能となっている。
【０００５】
例えば、ＩＥＥＥ  １３９４やＩＥＥＥ８０２．ｂなどの通信規格により高速通信可能な家庭内ネットワークを構成し、このネットワークを通じてデジタルＡＶ機器やパーソナルコンピュータを相互に接続し、連携して動作させるＨＡＶｉ（Ｈｏｍｅ  Ａｕｄｉｏ  Ｖｉｄｅｏ  Ｉｎｔｅｒｏｐｅｒａｂｉｌｉｔｙ）システムなどが提案されている。
【０００６】
このようなデジタルコンテンツ視聴環境において、ユーザは、リアルタイムで提供されているものと記録装置に記録されているものとを含めた膨大な量のデジタルコンテンツの中から、好みのコンテンツを選択して視聴することになる。
【０００７】
このとき、単に利用可能なデジタルコンテンツを列挙するのみでは、そのあまりに膨大な量のため、ユーザが好みのコンテンツを検索し選択するのに大変な時間がかかってしまい、操作も極めて煩雑になってしまう。これは、あたかも、コンピュータの発達に伴って、あらゆる分野で電子データのデータベースが形成・蓄積されたため、どのようなデータがどこに保存されているかをユーザが容易に把握することができなくなったことに相似している。
【０００８】
そこで、各デジタルコンテンツの種類（ジャンル）に注目した分類をしておき、ユーザはこの分類情報をもとにコンテンツ検索を行うようにすることが提案されている。例えば、デジタルコンテンツを、映画、音楽、アニメ、スポーツなどといった大きな区分で分類し、さらに、映画であればアドベンチャー映画、ＳＦ映画などといった小さい区分で分類するような階層構造の分類体系を用いることができる。
【０００９】
これにより、例えば、ユーザが特定の映画を視聴しようとした場合には、大分類で映画を選択した後、小分類でＳＦ映画を選択し、表示されたＳＦ映画のタイトル一覧から視聴しようとしているタイトルを選択することができる。
【００１０】
このように、従来のテレビジョン受像機において、ＥＰＧ（電子番組プログラム）を手掛かりに視聴するチャンネルを選局していたのとは全く異なる視聴環境を形成することになる。
【００１１】
特許文献１に記載されている情報ナビゲーション装置は、情報をその分類に従った階層構造としてデータベースに記憶しておくことにより、ユーザに好適な情報検索環境を提供することを特徴としている。特に、特許文献１の図２、図５及び図１０には、情報の分類による階層構造の形式が示されている。
【００１２】
上記したように、膨大な量のデジタルコンテンツをジャンルごとに分類をしておき、ユーザはこの分類情報をもとにコンテンツ検索を行うようすれば、ユーザが膨大なコンテンツの中から目当てのコンテンツをどのようにしてを探し出せばいいのか分からなくなるといった問題はなくなるものの、目当てのコンテンツを探し当てるまでの操作はコンテンツ量に比例して煩雑で時間のかかるものとなる。上記の例では、ユーザは、コンテンツを視聴しようとする度に、コンテンツの大分類の、小分類、タイトルの選択といった手順を踏まねばならないことになる。
【００１３】
そこで、ユーザが行ったコンテンツ選択の履歴情報を記憶しておき、この履歴情報からユーザのコンテンツに対する嗜好を分析して、特に嗜好度の高いコンテンツについては、より簡易な操作で選択することができるようにすれば、ユーザにとってコンテンツ選択の煩わしさが軽減されると考えられる。
【００１４】
特許文献２に記載されているデジタル放送における嗜好データ管理方法では、ユーザが番組を視聴した履歴から番組興味度を算出し、この番組興味度と、コンテンツに付与されたコンテンツ属性とを用いて、全てのコンテンツに対する嗜好得点を算出し、最も嗜好得点の高いコンテンツを最適コンテンツとして選択することを特徴としている（特に、請求項５、第００７２〜００８５段落、図１５参照）。
【００１５】
また、特許文献２に記載の嗜好データ管理方法や、他の従来技術における例では、ユーザの嗜好を客観的かつ定量的な嗜好データとして予め記憶しておき、これをもとにユーザのコンテンツ選択を補助することが行われている。
【００１６】
【特許文献１】
特開平９−２３１２３０号公報。
【特許文献２】
特開２００１−２３７７８８号公報。
【００１７】
【発明が解決しようとする課題】
しかしながら、デジタルコンテンツは、多種多様な映像・音声コンテンツを含んでいるものであり、その性質を客観的、定量的に定義することは容易ではない。これらの多種多様なコンテンツから、ユーザの嗜好に合致したものを客観的な基準で横断検索するような方法は従来技術では提供されていなかった。
【００１８】
また、従来技術によれば、嗜好傾向は、一般に、情報の選択履歴に基づき、情報の選択頻度の、全情報の項目との比率として算出される。この嗜好傾向の算出は、ユーザの積極的支援が得られれば、少ない情報選択履歴からでも、かなり的確に割り出すことは可能であるが、一般的には、ユーザは何を選択しようと勝手であり、その選択履歴から選択の根拠や理由を推論することができるとは限らない。
【００１９】
また、ユーザ自身のその日、その時の気分で、視聴したいと思うコンテンツの嗜好傾向は絶えず変動する。そこで、単に過去のコンテンツ選択履歴から分析される嗜好傾向に基づいて、コンテンツ選択の補助を行うのみではなく、提示された嗜好傾向に対してユーザがその場で修正を行うことにより、ユーザ自身のその時点での嗜好をリアルタイムに反映させることができれば、より利便性が高くなる。
【００２０】
本発明は、このような実情に鑑みてなされたものであり、膨大な量のデジタルコンテンツに対するユーザの嗜好傾向をできるだけ客観的な尺度で把握し、これに基づきユーザのコンテンツ選択の補助となるコンテンツ情報を表示するとともに、その場でユーザからの嗜好傾向の修正を取り入れることができるような情報ナビゲーション装置を提供しようとするものである。
【００２１】
【課題を解決するための手段】
上記解決課題に鑑みて鋭意研究の結果、本発明者は、以下のような情報ナビゲーション装置及び方法に想到した。
【００２２】
すなわち、本発明は、デジタルコンテンツのコンテンツ情報を記憶するコンテンツ情報データベースと、ユーザのコンテンツ選択履歴を記憶するコンテンツ選択履歴記憶部と、前記コンテンツ情報と、前記ユーザのコンテンツ選択履歴とから、ユーザの嗜好を分析する嗜好分析部とを備えたことを特徴とする情報ナビゲーション装置を提供するものである。
【００２３】
本発明の情報ナビゲーション装置は、また、前記嗜好分析部によるユーザの嗜好の分析結果を表示する表示手段をさらに備えていることを特徴とする。
【００２４】
本発明の情報ナビゲーション装置において、前記コンテンツ情報は、各デジタルコンテンツの分類情報を含むことを特徴とする。
【００２５】
本発明の情報ナビゲーション装置において、前記コンテンツ情報は、さらに、各デジタルコンテンツの内容に関する情報を含むことを特徴とする。
【００２６】
本発明の情報ナビゲーション装置において、前記各デジタルコンテンツの内容に関する情報は、製作者、出演者、対象者年齢層、原作者、配給元、製作国のうち１以上を含んでいることを特徴とする。
【００２７】
本発明の情報ナビゲーション装置において、前記表示手段は、各デジタルコンテンツの分類情報及び内容に関する情報のうち１以上の情報を用いてユーザの嗜好の分析結果を表示することを特徴とする。
【００２８】
本発明の情報ナビゲーション装置において、前記表示手段は、さらに、前記嗜好分析部によるユーザの嗜好の分析結果に従って、ユーザの嗜好に合致した利用可能なコンテンツを表示することを特徴とする。
【００２９】
本発明の情報ナビゲーション装置は、また、前記表示手段により表示したユーザの嗜好の分析結果をユーザが修正する手段をさらに備えていることを特徴とする。
【００３０】
本発明の情報ナビゲーション装置において、デジタル放送、インターネット、外部接続デジタル機器、ハードディスク、デジタル記録媒体のうちいずれかからデジタルコンテンツを取得することを特徴とする。
【００３１】
本発明は、また、デジタルコンテンツのコンテンツ情報を記憶し、ユーザのコンテンツ選択履歴を記憶し、前記コンテンツ情報と、前記ユーザのコンテンツ選択履歴とから、ユーザの嗜好を分析し、前記ユーザの嗜好の分析結果を表示することを特徴とする情報ナビゲーション方法を提供するものである。
【００３２】
本発明の情報ナビゲーション方法は、また、前記表示したユーザの嗜好の分析結果に対してユーザの修正を反映させることをさらに含むことを特徴とするものである。
【００３３】
本発明は、また、ユーザの嗜好を分析する嗜好分析部と、該嗜好分析部の分析に基づいて、ユーザの嗜好に合致したユーザの情報選択を支援する情報ナビゲーション機能とを備えた情報ナビゲーション装置を提供するものである。
【００３４】
【発明の実施の形態】
以下、添付図面を参照しながら、本発明の実施の形態を詳細に説明する。
【００３５】
図１は、本発明の情報ナビゲーション装置の一実施形態について、その内部構成を概略的に示す機能ブロック図である。
【００３６】
図１において、本発明の情報ナビゲーション装置１００は、制御部１０２と、表示部１０４と、入力部１０６と、嗜好分析部１０８と、コンテンツ選択履歴記憶部１１０と、コンテンツ情報データベース１１２と、外部接続端子１１４と、ネットワークインターフェイス１１６と、チューナ１１８と、ハードディスク１２０とから構成されている。
【００３７】
制御部１０２は、一般的なＡＶ装置に用いられるマイクロコンピュータ等の演算処理装置であり、情報ナビゲーション装置１００の各構成部分の動作及び各構成部分間のデータ伝送を制御する。
【００３８】
表示部１０４は、映像コンテンツを再生するモニタと音声コンテンツを再生するスピーカを含んでおり、ユーザは表示部１０４によりデジタルコンテンツを視聴することができる。モニタは、また、本装置１００の設定情報やデジタルコンテンツに付随する情報などをＯＳＤ（Ｏｎ  Ｓｃｒｅｅｎ  Ｄｉｓｐｌａｙ）表示することができる。
【００３９】
入力部１０６は、ユーザからの操作を受け付けるものであり、例えば、赤外線方式のリモートコントローラ（以下、「リモコン」と略する）や、本装置１００表面に設けた操作パネル、マウスやキーボードなどからの操作が入力される。
【００４０】
嗜好分析部１０８は、後述するコンテンツ選択履歴記憶部１１０及びコンテンツ情報データベース１１２に記憶されている情報に基づいて、ユーザのコンテンツに対する嗜好を分析する。嗜好分析部１０８は、例えば、所定のプログラムを含んだＲＯＭ（Ｒｅａｄ  Ｏｎｌｙ  Ｍｅｍｏｒｙ）などにより構成することができる。
【００４１】
コンテンツ選択履歴記憶部１１０は、ユーザが視聴したコンテンツの情報を、コンテンツ選択履歴として記憶する。例えば、各コンテンツについて、ユーザが視聴した日時、視聴時間、視聴回数、コンテンツの取得元（ソース）などを記憶しておくことができる。また、コンテンツ再生の途中で視聴を中断したことなども情報として記憶しておいてもよい。
【００４２】
コンテンツ情報データベース１１２は、本装置１００において利用可能な各種コンテンツに関する様々な情報を記憶している。例えば、各種コンテンツの分類情報や、コンテンツのメタ情報（後述する）などを記憶しておくことができる。尚、コンテンツ情報データベース１１２の一部は、本装置１００外部に蓄積されている情報を利用するものであってもよい。例えば、コンテンツ配信元のサーバに記憶されているコンテンツ情報を取得するようにしてもよい。
【００４３】
外部接続端子１１４は、外部のデジタル機器と接続するための端子であり、例えば、ＩＥＥＥ１３９４やＵＳＢなどの通信規格を利用することができる。本装置１００に接続するデジタル機器としては、デジタルビデオ、ＤＶＤプレイヤー、ハードディスクレコーダ、ＣＤプレイヤー、ＭＤプレイヤーなどが挙げられる。
【００４４】
ネットワークインターフェイス１１６は、本装置１００をインターネット等の外部ネットワークに接続しデータ通信を行うためのインターフェイスである。例えば、Ｅｔｈｅｒｎｅｔ規格に準じたＮＩＣ（Ｎｅｔｗｏｒｋ  Ｉｎｔｅｒｆａｃｅ  Ｃａｒｄ）などを用いてＬＡＮ（Ｌｏｃａｌ  Ａｒｅａ  Ｎｅｔｗｏｒｋ）などに接続することができる。
【００４５】
チューナ１１８は、主にデジタル放送を受信するためのものであり、例えば、ＢＳ／ＣＳデジタル放送用混合チューナや、ケーブルテレビジョン用チューナなどを用いることができる。また、チューナ１１８は、本装置外部に設置したアンテナ（図示せず）よりデジタル放送信号を受信し、本装置内で利用可能な放送信号に変換するものである。また、図示しないが、チューナ１１８は、デジタル放送信号のデコーダを備えているものとする。現在、ＢＳデジタル放送や地上デジタル放送では、ＭＰＥＧ２形式のデジタルデータをＴＳ（Ｔｒａｎｓｐｏｒｔ  Ｓｔｒｅａｍ）パケットに分割して放送しており、このＭＰＥＧ２−ＴＳ方式のパケットを受信側で再構成し、ＭＰＥＧ２形式のデジタルデータを取得するようなシステムが採用されている。
【００４６】
ハードディスク１２０は、磁気ディスク等の不揮発性記憶装置であり、本装置１００で利用する各種デジタルコンテンツなど大容量のデータを記憶しておくことができる。また、デジタルコンテンツ以外にも、本装置１００の制御に必要なプログラムやデータなどを記憶しておくこともできる。
【００４７】
次に、上記ように構成された本発明の情報ナビゲーション装置の動作について説明する。
【００４８】
ユーザは、外部接続端子１１４により外部接続されたデジタル機器、ネットワークインターフェイス１１６を通じて接続されたインターネット等、チューナ１１８を通じて受信されるデジタル放送などから取得されるデジタルコンテンツ、並びに本装置１００内のハードディスク１２０に記憶されているデジタルコンテンツから、好みのコンテンツを選択して、表示部１０４に出力させることにより視聴をすることができる。
【００４９】
ここで、これらのデジタルコンテンツは、本装置１００内では、所定の共通のデータ形式で扱われるようになっている。具体的には、現在デジタル放送やＤＶＤなどに広く利用されているデジタルデータの圧縮方式であるＭＰＥＧ方式を利用することができる。特に、映像コンテンツには、ＭＰＥＧ２方式を利用すれば、映像・音声合わせて４〜１５Ｍｂｐｓ程度のデータ転送速度でＳ−ＶＨＳビデオ並みの画質で再生することができる。
【００５０】
ユーザがこれらのデジタルコンテンツから好みのコンテンツを選択するにあたっては、まず、コンテンツの選択画面が表示部１０４にＯＳＤ表示される。ここで、デジタル放送コンテンツについては、従来のＥＰＧ（Ｅｌｅｃｔｒｏｎｉｃ  Ｐｒｏｇｒａｍｍｉｎｇ  Ｇｕｉｄｅ）表示を行うことができ、インターネットコンテンツについては、当該ＷＥＢサイトのタイトル一覧をそのまま表示することができ、外部接続機器としてＤＶＤプレイヤーを利用している場合には、既定のＤＶＤメニュー画面が表示されることになる。また、ハードディスク１２０内に記憶されたデジタルコンテンツについては、所定のコンテンツリスト表示プログラムなどにより、コンテンツ選択画面の表示を行うことができる。尚、本装置１００内において、これら異なるコンテンツソースから利用可能なデジタルコンテンツを検索し、まとめてリスト表示することができるようなプログラムを備えていてもよい。
【００５１】
ユーザがいずれかのコンテンツを選択すると、制御部１０２はそのコンテンツを表示部１０４に出力する。このとき、制御部１０２は、当該コンテンツの情報をコンテンツ選択履歴記憶部に記憶させる。
【００５２】
ここで、本発明の情報ナビゲーション装置において特徴となっている、ユーザの嗜好傾向に合わせてコンテンツ情報を表示する態様について説明する。
【００５３】
ユーザの操作に応じて、嗜好分析部１０８は、コンテンツ選択履歴記憶部１１０に記憶されているユーザのコンテンツ選択履歴を参照するとともに、コンテンツ情報データベース１１２に記憶されているコンテンツに関する情報を参照して、ユーザのコンテンツ嗜好傾向を割り出す。以下に、コンテンツに関する情報とその利用方法について述べる。
【００５４】
図２は、本発明において利用するデジタルコンテンツの分類構造（オントロジー）を例示する概念図である。
【００５５】
図２において、全てのデジタルコンテンツは、大分類（ジャンル）２０１及び小分類（サブジャンル）２０２により分類されており、コンテンツ自体はコンテンツＩＤ  ２０３により識別されるようになっている。また、各コンテンツＩＤ  ２０３には、コンテンツのメタ情報２０４が関連付けられている。本発明の情報ナビゲーション装置のコンテンツ情報データベース１１２では、これらのデジタルコンテンツ分類情報を記憶している。
【００５６】
このようなデジタルコンテンツの分類方法は、コンテンツを選択する際の重要な指標になることから、できるだけ標準化し、その基準に基づく統一的な分類を行うのが望ましい。例えば、既に国際標準化として策定されているＩＳＯ／ＳＣ２９のＭＰＥＧ−７や、標準作成中のＭＰＥＧ−２１などに準拠したオントロジーを利用することができる。また、日本国内では、コンテンツＩＤフォーラム（ｃＩＤｆ）という、産学共同でデジタルコンテンツにユニークなコードと、コンテンツのメタ情報をペアにした、コンテンツＩＤの付与基準を作成している組織がある。
【００５７】
また、ＷＥＢ上の各種情報の分類体系としては、ウェブオントロジー言語（ＯＷＬ）がＷ３Ｃにより策定されている。ＯＷＬは、ＲＤＦ（Ｒｅｓｏｕｒｃｅ  Ｄｅｓｃｒｉｐｔｉｏｎ  Ｆｒａｍｅｗｏｒｋ）モデルとＲＤＦスキーマによるリソースの叙述を行うことにより、ＷＥＢ上に存在する各種情報の分類体系（クラス）やそれらの関係、さらにはそれを推論していくためのルールを定義するものである。これにより、各地で独自に定義されている語彙を関連づけ、相互運用できるようになったり、オントロジーで表現された知識を利用して、エージェントが高度な検索などを行ったりすることが期待されている。
【００５８】
ここで、図２に示すコンテンツ分類構造において、「メタ情報」とは情報に関する情報のことであり、例えば、情報の使い方に関する情報や、情報の性質に関する情報などをいうものである。すなわち、各コンテンツに関する情報（製作者、出演者、対象者年齢層、原作者、配給元、製作国等）であり、これらの情報は、上記の標準に従ってコンテンツデータに付随して配信されるものである。
【００５９】
デジタルコンテンツの配信元が提供するこのようなメタ情報を利用することにより、テキストデータとは異なり機械的な意味処理が困難であるデジタルコンテンツに対して、その形式や内容に関連するオントロジーから確実な探索を行うことが可能となる。
【００６０】
また、ユーザが所有するハードディスクなどの記憶装置の記憶容量増大により、膨大な量の多種多様なデジタルコンテンツが蓄積されているような場合であっても、オントロジーを用いて異なる種類・形式のコンテンツを横断検索することが可能となる。
【００６１】
さらには、予め登録しておいたユーザの嗜好と現在利用可能なコンテンツとを照らし合わせた上で、ユーザの好みに合ったコンテンツを推奨（リコメンド）するメニューやランク付けなどを提示することができる。
【００６２】
本発明の情報ナビゲーション装置は、嗜好傾向として割り出されたコンテンツのメタ情報項目の、例えば上位５項目をグラフ表示することができ、また、ユーザ自身が必要に応じてそのグラフ表示を直接修正することができることを特徴としている。
【００６３】
図３は、本発明の情報ナビゲーション装置において、ユーザの嗜好傾向をグラフ表示する一例を示す図である。図中、５項目のメタ情報から構成されたレーダチャートによりユーザの嗜好傾向を示しているが、表示方法はこれに限定されるものではなく、例えば、表形式やテキスト形式で表示しても構わない。
【００６４】
図３（ａ）は、ユーザからの操作に応じて嗜好分析部１０８が割り出したユーザの嗜好傾向を示すレーダチャートである。図中の５項目は、出演者３０、年齢層４０、製作者５０、サブジャンル（小分類）６０、ジャンル（大分類）７０の順にスコアが高く表示されている。これは、ユーザが出演者３０というメタ情報に対しては最も強い嗜好傾向を有しているが、ジャンル７０に対しては嗜好傾向が最も弱いということを意味している。
【００６５】
図３（ａ）に示す嗜好傾向をユーザが承認すると、本発明の情報ナビゲーション装置は、この嗜好傾向に基づいて、現在利用可能なコンテンツを検索し、いくつかのコンテンツをユーザに推奨する画面を表示する。
【００６６】
一方、ユーザが図３（ａ）に示す嗜好傾向を変更したい場合には、入力部１０６からカーソル等を操作することにより、レーダチャートの各項目のスコアを自由に変更することができるようになっている。例えば、図３（ｂ）に示すような嗜好傾向に変化させることができる。
【００６７】
これにより、ユーザは、嗜好分析部１０８が割り出したユーザの嗜好傾向に対して、その日その時の気分に応じた修正を加えることにより、より嗜好に適したコンテンツの検索を行い、または推奨を受けることが可能となる。
【００６８】
以上、本発明の情報ナビゲーション装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【００６９】
例えば、本発明の情報ナビゲーション装置を、デジタルコンテンツ以外のもの、例えば、ネットショッピングや広告配信等に対しても同様の方法で応用することが可能である。
【００７０】
【発明の効果】
以上、説明したように、本発明の情報ナビゲーション装置によれば、膨大な量のデジタルコンテンツに対するユーザの嗜好傾向をできるだけ客観的な尺度で把握し、これに基づきユーザのコンテンツ選択の補助となるようなコンテンツ情報を表示するとともに、その場でユーザからの嗜好傾向の直感的な修正を取り入れることができるので、その日その時の気分に左右されるユーザの嗜好により嗜好に適したコンテンツの検索を行い、また推奨することができる。
【図面の簡単な説明】
【図１】本発明の情報ナビゲーション装置の一実施形態について、その内部構成を概略的に示す機能ブロック図である。
【図２】本発明において利用するデジタルコンテンツの分類構造（オントロジー）を例示する概念図である。
【図３】本発明の情報ナビゲーション装置において、ユーザの嗜好傾向をグラフ表示する一例を示す図である。図３（ａ）は、ユーザからの操作に応じて嗜好分析部１０８が割り出したユーザの嗜好傾向を示すレーダチャートであり、図３（ｂ）はユーザがこれに修正を加えたものである。
【符号の説明】
３０  出演者
４０  年齢層
５０  製作者
６０  サブジャンル
７０  ジャンル
１００    情報ナビゲーション装置
１０２    制御部
１０４    表示部
１０６    入力部
１０８    嗜好分析部
１１０    コンテンツ選択履歴記憶部
１１２    コンテンツ情報データベース
１１４    外部接続端子
１１６    ネットワークインターフェイス
１１８    チューナ
１２０    ハードディスク
２０１    大分類（ジャンル）
２０２    小分類（サブジャンル）
２０３    コンテンツＩＤ
２０４    メタ情報
【図１】
2005018269.tif 000003
【図２】
2005018269.tif 000004
【図３】
2005018269.tif 000005